(57)【要約】【課題】再送回数を低減し、より安定した送受信を実現可能な基地局を得ること。【解決手段】本発明の基地局は、端末局２から返送されるデータのＡＣＫ／ＮＡＣＫおよびＣＱＩに基づいて次の送信を準備する基地局１であって、復調後のＡＣＫ／ＮＡＣＫに基づいて送信データが受信側で正常に受信されたかどうかを判定するＡＣＫ／ＮＡＣＫ判定部１５と、復調後のＣＱＩを復号するＣＱＩ復号部１６と、前記ＡＣＫ／ＮＡＣＫ判定部１５による判定結果に基づいて、次の送信が新たなデータの初送か再送かを決定し、再送であれば、前記ＣＱＩ復号部１６による復号結果に基づいて、送信データサイズおよび変調方式を適応的に更新する送信制御部１１と、を備えることを特徴とする。【選択図】      図１
2004349884.tif 000002
【特許請求の範囲】
【請求項１】
受信側の端末局から返送されるデータの受信状態情報および通信品質情報に基づいて次の送信を準備する基地局において、
復調後の受信状態情報に基づいて送信データが受信側で正常に受信されたかどうかを判定する受信状態情報判定手段と、
復調後の通信品質情報を復号する通信品質情報復号手段と、
前記受信状態情報判定手段による判定結果に基づいて、次の送信が新たなデータの初送か再送かを決定し、再送であれば、前記通信品質情報復号手段による復号結果に基づいて、送信データサイズおよび変調方式を適応的に更新する送信制御手段と、
を備えることを特徴とする基地局。
【請求項２】
前記送信制御手段は、
通信品質の劣化に伴う再送時、初送データを更新後の送信データサイズの範囲内で任意に分割し、分割後のデータ単位に更新後の変調方式を適用することを特徴とする請求項１に記載の基地局。
【請求項３】
前記送信制御手段は、
通信品質の劣化に伴う再送時、初送データを半分に分割し、分割後のデータ単位に更新後の変調方式を適用することを特徴とする請求項１に記載の基地局。
【請求項４】
前記送信制御手段は、さらに、端末局側からＡＣＫ／ＮＡＣＫ情報が返送されてこない場合に、前記分割処理を実行し、分割後のデータ単位に更新後の変調方式を適用することを特徴とする請求項２または３に記載の基地局。
【請求項５】
受信側の端末局から返送されるデータの受信状態情報および通信品質情報に基づいて次の送信を準備する基地局において、
復調後の受信状態情報に基づいて送信データが受信側で正常に受信されたかどうかを判定する受信状態情報判定手段と、
復調後の通信品質情報を復号する通信品質情報復号手段と、
前記受信状態情報判定手段による判定結果に基づいて、次の送信が新たなデータの初送か再送かを決定し、再送であれば、前記通信品質情報復号手段による復号結果に基づいて、再送データ（初送データ）をのせるための物理チャネル数を適応的に変更する送信制御手段と、
を備えることを特徴とする基地局。
【請求項６】
前記送信制御手段は、
通信品質の劣化に伴う再送時、前記復号結果に応じた複数の物理チャネルに前記初送データと同一の複数のデータを個別に割り当てて再送することを特徴とする請求項５に記載の基地局。
【請求項７】
前記送信制御手段は、さらに、端末局側からＡＣＫ／ＮＡＣＫ情報が返送されてこない場合に、前記再送処理を実行することを特徴とする請求項６に記載の基地局。
【請求項８】
初送データまたは再送データを送信する基地局と、受信データの受信状態情報および通信品質情報を返送する端末局と、の間の通信方法において、
復調後の受信状態情報に基づいて送信データが受信側で正常に受信されたかどうかを判定し、正常に受信できていないと判断した場合に、再送処理を行うことを決定する送信処理決定ステップと、
復調後の通信品質情報を復号し、当該復号結果とその前の復号結果とを比較した結果、以前よりも通信品質が劣化している場合に、送信パラメータである送信データサイズおよび変調方式を適応的に更新して再送処理を行う再送ステップと、
を含むことを特徴とする通信方法。
【請求項９】
前記再送ステップでは、
通信品質の劣化に伴う再送時、初送データを更新後の送信データサイズの範囲内で任意に分割し、分割後のデータ単位に更新後の変調方式を適用することを特徴とする請求項８に記載の通信方法。
【請求項１０】
前記再送ステップでは、
通信品質の劣化に伴う再送時、初送データを半分に分割し、分割後のデータ単位に更新後の変調方式を適用することを特徴とする請求項８に記載の通信方法。
【請求項１１】
初送データまたは再送データを送信する基地局と、受信データの受信状態情報および通信品質情報を返送する端末局と、の間の通信方法において、
復調後の受信状態情報に基づいて送信データが受信側で正常に受信されたかどうかを判定し、正常に受信できていないと判断した場合に、再送処理を行うことを決定する送信処理決定ステップと、
復調後の通信品質情報を復号し、当該復号結果とその前の復号結果とを比較した結果、以前よりも通信品質が劣化している場合に、送信パラメータである再送データ（初送データ）をのせるための物理チャネル数を適応的に更新して再送処理を行う再送ステップと、
を含むことを特徴とする通信方法。
【請求項１２】
前記再送ステップでは、
通信品質の劣化に伴う再送時、前記復号結果に応じた複数の物理チャネルに前記初送データと同一の複数のデータを個別に割り当てて再送することを特徴とする請求項１１に記載の通信方法。
【請求項１３】
前記比較の結果、通信品質が変化していない場合は、前記送信パラメータを保持した状態で再送処理を行うことを特徴とする請求項８〜１２のいずれか一つに記載の通信方法。
【請求項１４】
前記端末局が、受信した初送データと再送データとを合成することを特徴とする請求項８〜１３のいずれか一つに記載の通信方法。
【発明の詳細な説明】
【０００１】
【発明の属する技術分野】
本発明は、移動体通信等の無線通信システムに用いられる通信方法に関するものであり、特に、高速なパケットデータ伝送を実現するＨＳＤＰＡ（Ｈｉｇｈ−Ｓｐｅｅｄ  Ｄｏｗｎｌｉｎｋ  Ｐａｃｋｅｔ  Ａｃｃｅｓｓ）を採用する無線通信システムにおける基地局と端末局との間の通信方法に関するものである。
【０００２】
【従来の技術】
以下、従来の通信方法について説明する。３ＧＰＰ（３ｒｄ  Ｇｅｎｅｒａｔｉｏｎ  Ｐａｒｔｎｅｒｓｈｉｐ  Ｐｒｏｊｅｃｔ）では、下り高速無線通信技術の１つであるＨＳＤＰＡが規格で定められている（下記非特許文献１参照）。ＨＳＤＰＡでは、上り無線チャネルとして、端末側からのＡＣＫ／ＮＡＣＫ情報，通信品質の情報（ＣＱＩ：Ｃｈａｎｎｅｌ  Ｑｕａｌｉｔｙ  Ｉｎｄｉｃａｔｏｒ）を伝送するためのチャネル（ＨＳ−ＤＰＣＣＨ：Ｈｉｇｈ  Ｓｐｅｅｄ  −  Ｄｅｄｉｃａｔｅｄ  Ｐｈｙｓｉｃａｌ  Ｃｏｎｔｒｏｌ  Ｃｈａｎｎｅｌ）が規定されており、また、下り無線チャネルとして、データを伝送するためのチャネル（ＨＳ−ＰＤＳＣＨ：Ｈｉｇｈ  Ｓｐｅｅｄ  −  Ｐｈｙｓｉｃａｌ  Ｄｏｗｎｌｉｎｋ
Ｓｈａｒｅｄ  Ｃｈａｎｎｅｌ）、それを制御するためのチャネル（ＨＳ−ＳＣＣＨ：Ｈｉｇｈ  Ｓｐｅｅｄ  −  Ｓｈａｒｅｄ  Ｃｏｎｔｒｏｌ  Ｃｈａｎｎｅｌ）が規定されている。また、ＨＳＤＰＡでは、信頼性をあげるために端末側が受け取ったデータの受信状況を基地局側へ伝え、たとえば、正常に受信できた場合にはＡＣＫを返し、一方で、正常に受信できなかった場合にはＮＡＣＫを返して基地局側へ再送を要求することができる。
【０００３】
ここで、上記ＨＳＤＰＡの処理について説明する。端末では、基地局から受信したデータを復調後、その受信状態によりＡＣＫ／ＮＡＣＫを基地局へ返送する。基地局では、ＡＣＫが返送された場合は次データの送信に備え、ＮＡＣＫが返送された場合は再送を行う。また、端末は、ＮＡＣＫを返送する場合、初送データをメモリに蓄積しておき、再送時にその初送データと再送データとを合成することによって受信性能を向上させている。
【０００４】
また、端末は、ＨＳ−ＤＰＣＣＨを用いてＡＣＫ／ＮＡＣＫ情報と通信品質に関する情報（ＣＱＩ）とを基地局へ伝送する。なお、ＣＱＩは、変調方式やデータサイズの変更等を基地局へ要求するために使用される。このように、上記ＨＳＤＰＡでは、通信環境に合わせて適応的に変調方式やデータサイズを変更することによって、常に最適な通信状態を実現する。
【０００５】
【非特許文献１】
３ＧＰＰ  ＴＲ  ２５．９５０  Ｖ４．０．０（２００１−０３）
【０００６】
【発明が解決しようとする課題】
しかしながら、上記従来の通信方法、すなわち、上記ＨＳＤＰＡでは、送信したデータが正常に受信されず、受信側の返送により再送を要求された場合、通信環境に関わらずに初送と同一のデータサイズおよび変調方式で再送が行われる。そのため、伝搬環境が劣化した場合等であっても、初送と同一のデータサイズおよび変調方式で再送が繰り返し行われることになり、受信側では伝搬環境が回復するまで正常に受信することができない、という問題があった。
【０００７】
本発明は、上記に鑑みてなされたものであって、再送回数を低減し、より安定した送受信を実現可能な基地局、および通信方法を得ることを目的とする。
【０００８】
【課題を解決するための手段】
上述した課題を解決し、目的を達成するために、本発明にかかる基地局にあっては、受信側の端末局から返送されるデータの受信状態情報および通信品質情報に基づいて次の送信を準備する基地局であって、復調後の受信状態情報に基づいて送信データが受信側で正常に受信されたかどうかを判定する受信状態情報判定手段（後述する実施の形態のＡＣＫ／ＮＡＣＫ判定部１５に相当）と、復調後の通信品質情報を復号する通信品質情報復号手段（ＣＱＩ復号部１６に相当）と、前記受信状態情報判定手段による判定結果に基づいて、次の送信が新たなデータの初送か再送かを決定し、再送であれば、前記通信品質情報復号手段による復号結果に基づいて、送信データサイズおよび変調方式を適応的に更新する送信制御手段（送信制御部１１に相当）と、を備えることを特徴とする。
【０００９】
この発明によれば、再送時、たとえば、更新後のＣＱＩ情報を反映させた再送データを生成している。すなわち、更新後の送信データサイズおよび変調方式で再送データを生成し、これにより、送受信の信頼度を大幅に向上させている。
【００１０】
【発明の実施の形態】
以下に、本発明にかかる通信方法の実施の形態を図面に基づいて詳細に説明する。なお、この実施の形態によりこの発明が限定されるものではない。
【００１１】
実施の形態１．
図１は、本発明にかかる通信方法を実現可能な無線通信システムの構成を示す図である。この無線通信システムは、基地局１と端末局２から構成され、ＨＳＤＰＡにより高速なパケットデータ伝送を実現する。
【００１２】
また、基地局１は、送信データ管理，再送管理，再送時のデータ分割等の処理を行う送信制御部１１と、データを符号化／変調し、ＨＳ−ＰＤＳＣＨを用いて送信するＨＳ−ＰＤＳＣＨ送信部１２と、制御情報を符号化／変調し、ＨＳ−ＳＣＣＨを用いて送信するＨＳ−ＳＣＣＨ送信部１３と、ＨＳ−ＤＰＣＣＨ上の信号を復調するＨＳ−ＤＰＣＣＨ復調部１４と、前記復調結果からＡＣＫ／ＮＡＣＫを判定するＡＣＫ／ＮＡＣＫ判定部１５と、前記復調結果からＣＱＩを復号するＣＱＩ復号部１６と、を備える。また、端末局２は、ＨＳ−ＳＣＣＨ上の信号を復調するＨＳ−ＳＣＣＨ復調部２１と、ＨＳ−ＰＤＳＣＨ上の信号を復調するＨＳ−ＰＤＳＣＨ復調部２２と、前記各復調結果に基づいてＡＣＫ／ＮＡＣＫを判定する処理やＣＱＩ生成処理や再送時のデータ合成処理等を行う受信制御部２３と、ＡＣＫ／ＮＡＣＫやＣＱＩを符号化／変調するＨＳ−ＤＰＣＣＨ送信部２４と、を備える。
【００１３】
ここで、本実施の形態の通信システムの動作を、図１および図２を用いて詳細に説明する。図２は、基地局および端末局の処理を示すフローチャートである。
【００１４】
まず、基地局１では、送信制御部１１が、通信相手である端末局２への初送データ（送信データ，制御情報）をそれぞれＨＳ−ＰＤＳＣＨ送信部１２とＨＳ−ＳＣＣＨ送信部１３へ送り、ここで各データを符号化／変調し、その結果をＨＳ−ＰＤＳＣＨ上およびＨＳ−ＳＣＣＨ上にそれぞれ送信する（ステップＳ１）。
【００１５】
つぎに、端末局２では、ＨＳ−ＳＣＣＨ復調部２１がＨＳ−ＳＣＣＨ上の信号を復調し、ＨＳ−ＰＤＳＣＨ復調部２２がその復調結果に基づいてＨＳ−ＰＤＳＣＨ上の信号を復調する。このとき、受信制御部２３では、復調後の受信データをメモリに蓄積しておく。また、受信制御部２３では、復調後の受信データを用いて正常に受信できているかどうかを判定し、ＡＣＫ／ＮＡＣＫ（受信状態）を選択する。そして、選択した受信状態から現在の通信環境に最適な送信データサイズおよび変調方式等を要求するためのＣＱＩを生成する。ＨＳ−ＤＰＣＣＨ送信部２４では、上記受信状態およびＣＱＩを符号化／変調し、その結果をＨＳ−ＤＰＣＣＨ上に送信する（ステップＳ２）。
【００１６】
つぎに、基地局１では、ＨＳ−ＤＰＣＣＨ復調部１４がＨＳ−ＤＰＣＣＨ上の信号を復調し、ＡＣＫ／ＮＡＣＫ判定部１５が復調後の情報に基づいてＡＣＫ／ＮＡＣＫを判定し、その結果を送信制御部１１へ通知する。また、同様に、ＣＱＩ復号部１６では、復調後の情報に基づいてＣＱＩを復号し、たとえば、端末局２が要求するデータサイズおよび変調方式等を判定するための通信品質に関する情報（復号後のＣＱＩ：以後、ＣＱＩ情報とよぶ）を入手し、その結果を送信制御部１１へ通知する。そして、送信制御部１１では、ＡＣＫ／ＮＡＣＫ判定部１５とＣＱＩ復号部１６からの情報に基づいて、次送／再送，送信データサイズ，変調方式を決定する。
【００１７】
たとえば、端末局２から送られてきた情報がＡＣＫの場合（ステップＳ２、ＡＣＫ）、送信制御部１１では、送信すべきデータがあれば（ステップＳ３、必要）、ＣＱＩ情報から判定されるデータサイズおよび変調方式に基づいて次の送信データを生成し、送信すべきデータがない場合は（ステップＳ３、終了）、処理を終了する。
【００１８】
一方で、端末局２から送られてきた情報がＮＡＣＫの場合は（ステップＳ２、ＮＡＣＫ）、前回のＣＱＩ情報と今回のＣＱＩ情報を比較する（ステップＳ４）。そして、ＣＱＩ情報に変化がない場合は（ステップＳ４、変化なし）、初送と同様のデータサイズおよび変調方式により生成したデータを再送する（ステップＳ５）。再送の手順は初送の手順と同じである。その後、端末局２では、ＨＳ−ＰＤＳＣＨ復調部２１が再送データを復調し、受信制御部２３がその復調結果をメモリに蓄積しておいた初送の復調データと合成する。これにより、復調データの信頼度を向上させる。
【００１９】
また、端末局２から送られてきた情報がＮＡＣＫで（ステップＳ２、ＮＡＣＫ）、ＣＱＩ情報が急激に変化（劣化）した場合は（ステップＳ４、急激な変化）、送信制御部１１が、最新のＣＱＩ情報を反映したデータサイズおよび変調方式に基づいて再送データを生成する。このとき、送信制御部１１では、初送データをＣＱＩ情報に基づくデータサイズの範囲内で分割する（ステップＳ６）。
【００２０】
図３は、データ分割の一例を示す図である。ここでは、伝送すべきデータとして、ＨＳ−ＰＤＳＣＨデータ１０１−１，１０１−２，１０１−３，１０１−４を想定する。たとえば、ＨＳ−ＰＤＳＣＨデータ１０１−１は、ＣＱＩ情報に基づいて５０００ｂｉｔ，１６ＱＡＭで伝送されている。その後、同条件で送信（初送）されたＨＳ−ＰＤＳＣＨデータ１０１−２を端末局２が正常に受信できず、基地局１へ再送要求（ＮＡＣＫ）を送信する場合、端末局２では、ＣＱＩを更新して送信する。そして、基地局１では、受信したＣＱＩに基づいてＣＱＩ情報の更新し（たとえば、２０００ｂｉｔ，ＱＰＳＫ）、更新後のＣＱＩ情報を反映して、初送データ（５０００ｂｉｔ）をＨＳ−ＰＤＳＣＨ分割データ１０１−２−１（２０００ｂｉｔ），１０１−２−２（２０００ｂｉｔ），１０１−２−３（１０００ｂｉｔ）に分割し、初送時と同様の手順で再送する（ステップＳ６）。なお、図示のように、ＣＱＩ情報の範囲内であれば等分に分割する必要はない。
【００２１】
その後、端末局２では、ＨＳ−ＰＤＳＣＨ復調部２１がすべてのＨＳ−ＰＤＳＣＨ分割データを復調した時点で、受信制御部２３が、その復調結果をメモリに蓄積しておいた初送の復調データと合成する。これにより、復調データの信頼度を向上させる。
【００２２】
なお、端末局２が上記ＨＳ−ＰＤＳＣＨ分割データを正常に受信できなかった場合は（ステップＳ７、ＮＡＣＫ）、初送データの伝送時と同様に、基地局１に対してＮＡＣＫを送信し、基地局１が更新後のＣＱＩ情報に基づいて再度再送処理を実行する（ステップＳ６）。図４は、再送時にＣＱＩ情報が急激に変化した場合（ＮＡＣＫ）の処理シーケンスを示す図である。ここでは、ＣＱＩ情報の変化（劣化）に応じて再度分割処理を行う。そして、ＨＳ−ＰＤＳＣＨ分割データを正常に受信できた時点で（ステップＳ７、ＡＣＫ）、通常処理に移行する。
【００２３】
このように、本実施の形態においては、再送時、更新後のＣＱＩ情報を反映させた再送データを生成しているので、すなわち、更新後の送信データサイズおよび変調方式で再送データを生成しているので、送受信の信頼度を大幅に向上させることができる。これにより、従来と比較して再送回数を大幅に低減できる。
【００２４】
なお、本実施の形態においては、上記実施の形態１の通信方法（再送処理）をＣＱＩ情報が劣化した場合に適用したが、これに限らず、たとえば、端末局側からＡＣＫ／ＮＡＣＫ情報が返送されてこない場合にも適用可能である。
【００２５】
実施の形態２．
以上の実施形態１では、ＣＱＩ情報が急激に変化した場合に、初送データをＣＱＩ情報に基づく要求の範囲内のデータサイズに分割し、さらに、変調方式を変更して、再送していたが、実施の形態２では、同様の場合に、マルチコード（物理チャネル）数を増やして再送することで、送受信の信頼性を向上させる。
【００２６】
ここで、実施の形態２の通信方法を詳細に説明する。図５は、実施の形態２の通信方法を示すフローチャートである。なお、基地局および端末局の構成については、先に説明した実施の形態１の図１と同様であるため、同一の符号を付してその説明を省略する。ここでは、実施の形態１と異なる処理についてのみ説明する。
【００２７】
たとえば、端末局２から送られてきた情報がＮＡＣＫで（ステップＳ２、ＮＡＣＫ）、ＣＱＩ情報が急激に変化（劣化）した場合は（ステップＳ４、急激な変化）、送信制御部１１が、初送時とデータサイズおよび変調方式を変えずに、初送データを、マルチコード数を増やして再送する（ステップＳ１１）。
【００２８】
ＨＳＤＰＡにおいては、端末局全体でマルチコード数を最大１５コードまで共有して使うことができる。図６は、マルチコード数を変化させて再送する仕組みの一例を示す図である。たとえば、基地局１では、初送時、ＨＳ−ＰＤＳＣＨデータを符号化した後、マルチコードを１コード分だけ使って送信する。そして、端末局２でＨＳ−ＰＤＳＣＨデータを正常に受信できず、再送を要求された場合は、同時に返送されてくるＣＱＩ情報を確認する。図７は、再送時にＣＱＩ情報が急激に変化した場合（ＮＡＣＫ）の処理シーケンスを示す図である。確認の結果、たとえば、ＣＱＩ情報に急激な変化（劣化）があれば、再送時には、初送時とデータサイズおよび変調方式を変えずに、マルチコード数を増やして送信データを再送する（図６では３つのコードを使用して送信）。
【００２９】
たとえば、送信ビットを１５００ビットとし、１マルチコードのビット数を１９２０ビットとした場合、初送時は、１マルチコードに含まれる冗長ビットが４２０ビットとなる。一方、再送時は、３マルチコードであるため、１マルチコードにしめる送信ビットが５００ビット（３等分）となり、冗長ビットが１４２０ビットとなる。なお、再度、再送要求があった場合には、さらにマルチコード数を変化させて再送する。
【００３０】
このように、本実施の形態においては、再送時、初送時と送信データサイズおよび変調方式を変えずに、マルチコード数だけを増やしてデータを送信することにより、１コードにしめる冗長ビットの割合が多くなるため、送受信の信頼度を大幅に向上させることができる。これにより、従来と比較して再送回数を大幅に低減できる。
【００３１】
なお、本実施の形態においては、上記実施の形態２の通信方法（再送処理）をＣＱＩ情報が劣化した場合に適用したが、これに限らず、たとえば、端末局側からＡＣＫ／ＮＡＣＫ情報が返送されてこない場合にも適用可能である。
【００３２】
実施の形態３．
以上の実施形態１では、ＣＱＩ情報が急激に変化した場合に、初送データをＣＱＩ情報による要求の範囲内のデータサイズに分割し、さらに、変調方式を変更して、再送していたが、実施形態３では、同様の場合に、ＣＱＩ情報による要求とは関係なく単純に初送データのデータサイズを半分に分割して再送する。
【００３３】
ここで、実施の形態３の通信方法を詳細に説明する。図８は、実施の形態３の通信方法を示すフローチャートである。なお、基地局および端末局の構成については、先に説明した実施の形態１の図１と同様であるため、同一の符号を付してその説明を省略する。ここでは、実施の形態１と異なる処理についてのみ説明する。
【００３４】
たとえば、端末局２から送られてきた情報がＮＡＣＫで（ステップＳ２、ＮＡＣＫ）、ＣＱＩ情報が急激に変化（劣化）した場合は（ステップＳ４、急激な変化）、送信制御部１１が、初送データのデータサイズを半分に分割して、さらに分割後のデータに更新後の変調方式を適用して、再送する（ステップＳ２１）。なお、本実施の形態では、初送時と同様のデータの再送を所定回数だけ繰り返し、それでも正常に受信できない場合に、データサイズを半分に分割して再送することとしてもよい。
【００３５】
図９は、データを半分に分割して再送する場合の例を示す図である。ここでは、伝送すべきデータとして、ＨＳ−ＰＤＳＣＨデータ１０２−１，１０２−２，１０２−３，１０２−４を想定する。たとえば、ＨＳ−ＰＤＳＣＨデータ１０２−１は、ＣＱＩ情報に基づいて５０００ｂｉｔ，１６ＱＡＭで伝送されている。その後、同条件で送信（初送）されたＨＳ−ＰＤＳＣＨデータ１０２−２を端末局２が正常に受信できず、基地局１へ再送要求（ＮＡＣＫ）を送信する場合、端末局２では、ＣＱＩを更新して送信する。そして、基地局１では、受信したＣＱＩに基づいてＣＱＩ情報の更新し（たとえば、２０００ｂｉｔ，ＱＰＳＫ）、更新後のＣＱＩ情報を反映して、初送データ（５０００ｂｉｔ）をＨＳ−ＰＤＳＣＨ分割データ１０２−２−１（２５００ｂｉｔ），１０２−２−２（２５００ｂｉｔ）に分割し、分割後のデータに更新後の変調方式を適用し、初送時と同様の手順で再送する（ステップＳ２１）。また、分割して再送した結果、再び、再送要求を受け取った場合は、さらに再送データ（２５００ｂｉｔ）をＨＳ−ＰＤＳＣＨ分割データ１０２−２−２−１（１２５０ｂｉｔ），１０２−２−２−２（１２５０ｂｉｔ）に分割し、分割後のデータに更新後の変調方式を適用し、初送時と同様の手順で再送する（ステップＳ２１）。図１０は、再送時にＣＱＩ情報が急激に変化した場合（ＮＡＣＫ）の上記処理シーケンスを示す図である。
【００３６】
このように、本実施の形態においては、再送時、初送データのデータサイズを単純に半分に分割して再送することとした。これにより、装置を簡略化しつつ、送受信の信頼度を大幅に向上させることができる。
【００３７】
なお、本実施の形態においては、上記通信方法（再送処理）をＣＱＩ情報が劣化した場合に適用したが、これに限らず、たとえば、端末局側からＡＣＫ／ＮＡＣＫ情報が返送されてこない場合にも適用可能である。
【００３８】
【発明の効果】
以上、説明したとおり、本発明によれば、再送時、更新後のＣＱＩ情報を反映させた再送データを生成しているので、すなわち、更新後の送信データサイズおよび変調方式で再送データを生成しているので、送受信の信頼度を大幅に向上させることができる。これにより、従来と比較して再送回数を大幅に低減できる、という効果を奏する。
【図面の簡単な説明】
【図１】本発明にかかる通信方法を実現可能な無線通信システムの構成を示す図である。
【図２】実施の形態１の通信方法を示すフローチャートである。
【図３】データ分割の一例を示す図である。
【図４】再送時にＣＱＩ情報が急激に変化した場合（ＮＡＣＫ）の処理シーケンスを示す図である。
【図５】実施の形態２の通信方法を示すフローチャートである。
【図６】マルチコード数を変化させて再送する仕組みの一例を示す図である。
【図７】再送時にＣＱＩ情報が急激に変化した場合（ＮＡＣＫ）の処理シーケンスを示す図である。
【図８】実施の形態３の通信方法を示すフローチャートである。
【図９】データを半分に分割して再送する場合の例を示す図である。
【図１０】再送時にＣＱＩ情報が急激に変化した場合（ＮＡＣＫ）の処理シーケンスを示す図である。
【符号の説明】
１  基地局、２  端末局、１１  送信制御部、１２  ＨＳ−ＰＤＳＣＨ送信部、１３  ＨＳ−ＳＣＣＨ送信部、１４  ＨＳ−ＤＰＣＣＨ復調部、１５  ＡＣＫ／ＮＡＣＫ判定部、１６  ＣＱＩ復号部、２１  ＨＳ−ＳＣＣＨ復調部、２２  ＨＳ−ＰＤＳＣＨ復調部、２３  受信制御部、２４  ＨＳ−ＤＰＣＣＨ送信部。
【図１】
2004349884.tif 000003
【図２】
2004349884.tif 000004
【図３】
2004349884.tif 000005
【図４】
2004349884.tif 000006
【図５】
2004349884.tif 000007
【図６】
2004349884.tif 000008
【図７】
2004349884.tif 000009
【図８】
2004349884.tif 000010
【図９】
2004349884.tif 000011
【図１０】
2004349884.tif 000012